(57)【特許請求の範囲】
【請求項１】
上流側樋と下流側樋とが同じ形状に成形され同じ深さの底壁を有し、かつ、前記上流側樋の下端縁と前記下流側樋の上端縁との継目でその底壁上面に下流側が低い段差が設けられるようにして該上・下流側樋を連結するようにした球搬送樋の連結構造であって、
前記上流側樋と前記下流側樋との周壁に前記継目で連なる溝を設け、一方、上下位置をずらせて互いに逆方向へ伸びる一対の接続片部により連結部材を成形し、前記上流側樋の下流端と前記下流側樋の上流端とを突き合わす状態で、前記上側の接続片部を前記上流側樋の溝に嵌入すると共に前記下側の接続片部を前記下流側樋の溝に嵌入してそれぞれ固定することにより、前記上流側樋の底壁下端縁と前記下流側樋の底壁上端縁とが突き合わされるようにしたことを特徴とする球搬送樋の連結構造。
【請求項２】
前記上・下流側樋の上面にその長手方向に沿って被せ蓋が着脱自在に装着され、前記被せ蓋はその裏面両側に下方へ突出して前記上・下流側樋の溝間に嵌り込む脚辺部を設け、前記各脚辺部の外側下縁にはその長手方向に沿って前記各溝の立壁部裏面の長手方向に沿って設けられた凹条に嵌り込む凸条を設けて構成される請求項１記載の球搬送樋の連結構造。
【請求項３】
上流側樋と下流側樋とが同じ形状に成形され同じ深さの底壁を有し、かつ、前記上流側樋の下端縁と前記下流側樋の上端縁との継目でその底壁上面に下流側が低い段差が設けられるようにして該上・下流側樋を連結するようにした球搬送樋の連結構造であって、
前記上流側樋と前記下流側樋との周壁に前記継目で連なる突条を設け、一方、上下位置をずらせて互いに逆方向へ伸びかつ先端が開口する溝を有した一対の接続片部から連結部材を成形し、前記上流側樋の下流端と前記下流側樋の上流端とを突き合わす状態で、前記上側の接続片部の溝に前記上流側樋の突条を嵌入すると共に前記下側の接続片部の溝に前記下流側樋の突条を嵌入してそれぞれ固定することにより、前記上流側樋の底壁下端縁と前記下流側樋の底壁上端縁とが突き合わされるようにしたことを特徴とする球搬送樋の連結構造。
【請求項４】
前記上・下流側樋の上面にその長手方向に沿って被せ蓋が着脱自在に装着され、前記被せ蓋はその裏面両側に下方へ突出して前記上・下流側樋の溝間に嵌り込む脚辺部を設け、前記各脚辺部の外側下縁にはその長手方向に沿って前記各側壁上端縁に設けられた折曲辺部に係合する凸条を設けて構成される請求項３記載の球搬送樋の連結構造。
【発明の詳細な説明】
【０００１】
【発明の属する技術分野】
本発明は、例えば、パチンコ遊技場におけるパチンコ遊技機設置島の内部、または、各パチンコ遊技機設置島間に配設され、遊技球を所定の個所に搬送するための球搬送樋の連結構造に関するものである。
【０００２】
【従来の技術】
通常、パチンコ遊技場にはパチンコ遊技機を多数並設したパチンコ遊技機設置島が複数列据置されている。これらパチンコ遊技機設置島では、各パチンコ遊技機から排出される遊技球をその下方に配設されたアウト球集合樋により集合し、中央の研磨揚送リフトでその上方の島タンクに揚送し、また、島タンクから補給樋を介して各パチンコ遊技機に還元補給するようにしている。更に、互いに隣り合うパチンコ遊技機設置島間にも、各パチンコ遊技機設置島毎の球貯留量のバランスを保つために、遊技球を島タンク間に差し渡した連絡樋を介して隣のパチンコ機設置島に搬送するようにしている。
【０００３】
ところで、前記アウト球集合樋、補給樋、連絡樋といった球搬送樋は、通常、金属材料からなり所定の長さに成形され、途中で連結するようになっている。また、前記球搬送樋は、比較的緩い傾斜で配設されており、このため、流下する遊技球に勢いを付けさせるため連結部で底面に下流側が低い段差を設けるようにしている。
【０００４】
すなわち、図６，図７に示すように、横断面が上向きコ字型の連結樋ａにおける底壁ｂ上面の上流側に、所定の厚みの上底板ｃを貼着し、この連結樋ａの両端からその内側へそれぞれ上流側樋ｄ及び下流側樋ｅを差し込む。そして、連結樋ａの側壁ｆ上縁の両端側に開設された螺子挿通孔ｇを介して上・下流側樋ｄ，ｅの側壁ｈに開設された螺子孔ｉに螺子ｊを螺締めすることにより連結している。これにより、上流側樋ｄの裏側に上底板ｃが介在されることになり、上流側樋ｄの底壁ｋ下端縁と下流側樋ｅの底壁ｋ上端縁との継目でその上面に下流側が低くなる段差Ｄが設けられる。
【０００５】
【発明が解決しようとする課題】
しかしながら、前記球搬送樋の連結構造にあっては、上・下流側樋ｄ，ｅの他に、別途、連結樋ａを製作しなければならないことから、その製作に多くの手間が掛かり、それに伴う製作コストも高くなっている。しかも、連結樋ａが大型化しているので、作業上取り扱い難いといった課題がある。
そこで、本発明は上記課題を解決すべくなされたもので、多くの手間がかからず製作が簡単であって製作コストも軽減でき、また、作業性も向上できる球搬送樋の連結構造を提供することを目的とするものである。
【０００６】
【課題を解決するための手段】
かかる目的を達成するため、本発明に係る球搬送樋の連結構造は、上流側樋と下流側樋とが同じ形状に成形され同じ深さの底壁を有し、かつ、前記上流側樋の下端縁と下流側樋の上端縁との継目でその底壁上面に下流側が低い段差が設けられるようにして該上・下流側樋を連結するようにした球搬送樋の連結構造であって、前記上流側樋と下流側樋との周壁に前記継目で連なる溝を設け、一方、上下位置をずらせて互いに逆方向へ伸びる一対の接続片部により連結部材を成形し、前記上流側樋の下流端と下流側樋の上流端とを突き合わす状態で、前記上側の接続片部を前記上流側樋の溝に嵌入すると共に前記下側の接続片部を前記下流側樋の溝に嵌入してそれぞれ固定することにより、上流側樋の底壁下端縁と下流側樋の底壁上端縁とが突き合わされるようにした構成からなる。
この際、前記上・下流側樋の上面にその長手方向に沿って被せ蓋が着脱自在に装着され、被せ蓋はその裏面両側に下方へ突出して上・下流側樋の溝間に嵌り込む脚辺部を設け、各脚辺部の外側下縁にはその長手方向に沿って各溝の立壁部裏面の長手方向に沿って設けられた凹条に嵌り込む凸条を設けて構成されることが好ましい。
【０００７】
または、上流側樋と下流側樋とが同じ形状に成形され同じ深さの底壁を有し、かつ、前記上流側樋の下端縁と下流側樋の上端縁との継目でその底壁上面に下流側が低い段差が設けられるようにして該上・下流側樋を連結するようにした球搬送樋の連結構造であって、前記上流側樋と下流側樋との周壁に前記継目で連なる突条を設け、一方、上下位置をずらせて互いに逆方向へ伸びかつ先端が開口する溝を有した一対の接続片部から連結部材を成形し、前記上流側樋の下流端と下流側樋の上流端とを突き合わす状態で、前記上側の接続片部の溝に前記上流側樋の突条を嵌入すると共に前記下側の接続片部の溝に前記下流側樋の突条を嵌入してそれぞれ固定することにより、上流側樋の底壁下端縁と下流側樋の底壁上端縁とが突き合わされるようにした構成からなる。
この際、前記上・下流側樋の上面にその長手方向に沿って被せ蓋が着脱自在に装着され、被せ蓋はその裏面両側に下方へ突出して上・下流側樋の溝間に嵌り込む脚辺部を設け、各脚辺部の外側下縁にはその長手方向に沿って各側壁上端縁に設けられた折曲辺部に係合する凸条を設けて構成されることが好ましい。
【０００８】
このように、連結部材は、上・下流側樋に設けられた溝または突条に嵌合する接続片部を設けた構成にすぎないので、小型化できて多くの手間がかからず製作が簡単であって製作コストも軽減できる。また、小型であることから軽量化も図られ、作業性も向上する。
【０００９】
【発明の実施の形態】
以下、本発明に係る球搬送樋の連結構造について説明する。図１は、本発明が適用されるパチンコ遊技機設置島の一部断面正面図である。前記パチンコ機設置島Ａは、両面に複数台のパチンコ遊技機ｐが背向きして並置される。パチンコ機設置島Ａの中央に球研磨揚送リフト１が設けられ、また、両側に遊技に必要な球量がプ−ルできかつその増減を調節するための下部プールタンクが設けられている。一方、各パチンコ遊技機ｐの下方には、球研磨揚送リフト１の下部に向けて下り傾斜する球搬送樋としてのアウト球集合樋３が設けられており、各パチンコ遊技機ｐから排出される遊技球がアウト球集合樋３を介して球研磨揚送リフト１に送られる。
【００１０】
前記球研磨揚送リフト１に送られた遊技球は、球研磨揚送リフト１によりその上方の島タンク４に揚送される。そして、島タンク４に揚送された遊技球は、パチンコ遊技機設置島Ａの上部両側に沿って配設される球搬送樋としての補給樋５を介して各パチンコ遊技機ｐ及びその台間に設けられる球貸機６に補給される。各パチンコ遊技機ｐにあっては、それらに対応して前記補給樋５から供給用パイプ７が垂下されると共にパチンコ球補給装置８を介して各パチンコ遊技機ｐの球タンク（図示せず。）に接続されるようになっている。
【００１１】
また、前記補給樋５の下方には、これとほぼ平行に球搬送樋としての球送樋９が配設され、上部の島タンク４に遊技球が過剰に多くなったとき、一時的に逃すようにしている。この球送樋９に送られる遊技球は、その流下端に設けられる余剰球パイプ１０を介して下部プールタンク２に貯留される。そして、逆に、島タンク４に揚送される遊技球が不足したとき、前記下部プールタンク２内に貯留される遊技球をアウト球集合樋３を介して球研磨揚送リフト１に供給して補充するようにしている。なお、各パチンコ遊技機設置島Ａの島タンク４間には、互いに隣り合うパチンコ遊技機設置島Ａ同士を連結して各パチンコ遊技機設置島Ａの遊技球の貯留量を平均化させる球搬送樋としての連絡樋１１が掛け渡される。
【００１２】
前記球搬送樋としてのアウト球集合樋３、補給樋５、球送樋９、連絡樋１１は、いずれも比較的に緩い傾斜に設定されている。そこで、その内、例えば球送樋９について説明する。球送樋９は、所定の長さに設定され、その接続部に本発明に係る連結構造が適用される。図２は球送樋の連結部の斜視図、図３は同分解斜視図を示す。
【００１３】
図中、１５ａは上流側樋、１５ｂは下流側樋である。上流側樋１５ａと下流側樋１５ｂとは、例えばアルミニウム材などの金属製であって同じ形状に成形されている。よって、共に同じ深さを有する。上・下流側樋１５ａ，１５ｂは、横断面が平坦な底壁１６とその両端縁から上方へ垂直に起立する側壁１７とから上向きコ字型をなしている。各側壁１７の上端縁には、それぞれ外側で開口すると共に上流側樋１５ａと下流側樋１５ｂとの継目で連なる横断面Ｃ型の溝１８が設けられている。また、各溝１８内の立壁部１８ａであって前記継目に近接する位置にはそれぞれ螺子孔１９が設けられる。前記底壁１６上面には、流下する遊技球の騒音を防止するために合成樹脂製の敷板１６ａが敷かれる。なお、底壁１６には、敷板１６ａが敷かれている場合はこの敷板１６ａをも含むものとする。
【００１４】
２０は前記上流側樋１５ａと下流側樋１５ｂとを連結するための板状の連結部材であり、上下に位置をずらせて互いに逆方向へ伸びる一対の接続片部２１ａ，２１ｂが設けられている。上に位置する接続片部２１ａは、上流側樋１５ａの溝１８の下流端に嵌入され、下に位置する接続片部２１ｂは下流側樋１５ｂの溝１８の上流端にそれぞれ嵌入される。そこで、前記上の接続片部２１ａと下の接続片部２１ｂとの上下方向の位置の寸法差が、継目における上流側樋１５ａと下流側樋１５ｂとの段差として現れることになる。また、前記各接続片部２１ａ，２１ｂには、前記各螺子孔１９に対応する位置に螺子挿通孔２２が開設される。
【００１５】
前記上・下流側樋１５ａ，１５ｂの上面には、その長手方向に沿って、被せ蓋２３が着脱自在に装着される。この被せ蓋２３の裏面両側に、下方へ突出して前記上・下流側樋１５ａ，１５ｂの溝１８間に嵌り込む脚辺部２４が設けられる。また、各脚辺部２４の外側下縁には、その長手方向に沿って前記各立壁部１８ａ裏面の長手方向に沿って設けられた凹条２５に嵌り込む凸条２６が設けられる。
【００１６】
本発明に係る球搬送樋の連結構造は上記構成からなり、次に、その組立方法について説明する。まず、上流側樋１５ａの下流端と下流側樋１５ｂの上流端とを突き合わす状態で、連結部材２０の上側の接続片部２１ａを上流側樋１５ａの溝１８に嵌入すると共に下側の接続片部２１ｂを下流側樋１５ｂの溝１８に嵌入する。そして、上流側樋１５ａの下流端と下流側樋１５ｂの上流端とを突き合わせ、各螺子挿通孔２２を介して各螺子孔１９に螺子２７を螺締する。このようにして、一対の連結部材２０により上・下流側樋１５ａ，１５ｂがしっかりと接続固定される。また、前記上・下流側樋１５ａ，１５ｂの上面に被せ蓋２３が装着される。
【００１７】
これにより、図４に示すように上流側樋１５ａの底壁１６（正確には敷板１６ａ）下端縁と下流側樋１５ｂの底壁１６（正確には敷板１６ａ）上端縁との継目でその上面に下流側が低くなる段差Ｄが設けられ、球送樋９内を流下する遊技球Ｂは前記段差Ｄによって勢いが付けられ、遅滞なくスムーズに流れることになる。連結部材２０は、小型化し軽量化が図られ、しかも、上・下流側樋１５ａ，１５ｂの各溝１８に嵌入するのみで連結できることから、作業性が向上する。
なお、球搬送樋として球送樋９について説明したが、他のアウト球集合樋３、補給樋５、連絡樋１１についても同様にして適用できるものであり、更には、パチンコ遊技機設置島Ａに限られるものではなく、一般の搬送装置にも利用できる。
【００１８】
図５は他の実施の形態に係る球搬送樋の連結構造を示すものである。なお、この連結構造は全般に本実施の形態とほぼ同じ形状からなるので、同一部位は同一番号を付すことにより詳しい説明は省略する。すなわち、上・下流側樋１５ａ，１５ｂの側壁１７の外面に、その長手方向に沿って継目で連なる突条２８が設けられる。この突条２８は横断面Ｔ字状に成形されている。また、各突条２８の外側面であって前記継目に近接する位置にはそれぞれ螺子孔２９が設けられる。一方、連結部材３０は、上下に位置をずらせて互いに逆方向へ伸びかつ先端と内側とが開口する溝３１を有した一対の接続片部３２ａ，３２ｂから成形される。また、前記各接続片部３２ａ，３２ｂには、前記各螺子孔２９に対応する位置に溝３１と連通する螺子挿通孔３３が開設される。
【００１９】
そして、上流側樋１５ａの下流端と下流側樋１５ｂの上流端とを突き合わす状態で、前記上側の接続片部３２ａの溝３１に上流側樋１５ａの突条２８を嵌入すると共に下側の接続片部３２ｂの溝３１に下流側樋１５ｂの突条２８を嵌入する。そして、上流側樋１５ａの下流端と下流側樋１５ｂの上流端とを突き合わせ、各螺子挿通孔３３を介して各螺子孔２９に螺子３４を螺締する。このようにして、一対の連結部材３０により上・下流側樋１５ａ，１５ｂがしっかりと接続固定される。なお、前記上・下流側樋１５ａ，１５ｂの上面には被せ蓋２３が装着されるが、被せ蓋２３における脚片部２４の凸条２６は各側壁１７上端縁に設けられた折曲辺部１７ａに係合させるようにする。
【００２０】
本実施の形態または他の実施の形態では、側壁１７に溝１８または突条２８を設けるようにしたが、例えば、図示は省略するも、底壁１６の裏面にその長手方向に沿って溝１８または突条２８を設けるようにしても良く、この場合は、連結部材２０が平面的であって上流側が高く下流側が低くなるように成形される。
【００２１】
【発明の効果】
以上説明したように、本発明に係る球搬送樋の連結構造は、上流側樋と下流側樋との継目でその底壁上面に下流側が低くなる段差が設けられるようにした構造であって、上・下流側樋の周壁に溝または突条を設け、一方、上下に位置をずらせて互いに逆方向へ伸びる一対の接続片部または先端が開口する溝を有した一対の接続片部から連結部材を成形し、前記上・下側の接続片部または溝を上・下流側樋の溝または突条に嵌合して上・下流側樋を接続固定するようにしたので、連結部材が小型化でき多くの手間がかからず製作が簡単であって製作コストも軽減できる。また、連結部材が小型であることから軽量化も図られ、作業性も向上できるという効果がある。
【図面の簡単な説明】
【図１】  本発明が適用されるパチンコ機設置島の一部断面正面図。
【図２】  球搬送樋の連結部の斜視図。
【図３】  同分解斜視図。
【図４】  同正面断面図。
【図５】  他の実施の形態に係る球搬送樋の連結部の分解斜視図。
【図６】  従来の球搬送樋の連結部の分解斜視図。
【図７】  同正面断面図。
【符号の説明】
９                    球搬送樋（球送樋）
１５ａ                上流側樋
１５ｂ                下流側樋
１６                  底壁
１７ａ                折曲辺部
１８                  溝
２０                  連結部材
２１ａ                接続片部
２１ｂ                接続片部
２３                  被せ蓋
２４                  脚辺部
２５                  凹条
２６                  凸条
２８                  突条
３０                  連結部材
３１                  溝
３２ａ                接続片部
３２ｂ                接続片部
Ｄ                    段差
【図１】
0003837086.tif 000002
【図２】
0003837086.tif 000003
【図３】
0003837086.tif 000004
【図４】
0003837086.tif 000005
【図５】
0003837086.tif 000006
【図６】
0003837086.tif 000007
【図７】
0003837086.tif 000008